【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
表示手段へのタッチ操作を検知可能なタッチ検知手段と、
前記表示手段に、第１のグループに属する複数の表示アイテムを一覧表示し、
前記一覧表示された前記第１のグループに属する複数の表示アイテムのうち何れかの表示アイテムがタッチされてドラッグ可能となったことに応じて、前記表示手段に、前記第１のグループと異なる第２のグループに属する表示アイテムを表示するように制御する表示制御手段と、
前記第２のグループに属する表示アイテムが表示された状態で、前記タッチが特定の位置で離されたことに応じて、前記タッチされた表示アイテムを前記第２のグループへ移動またはコピーするように制御する制御手段と
を有することを特徴とする表示制御装置。
【請求項２】
前記表示制御手段は、前記一覧表示された前記第１のグループに属する複数の表示アイテムのうち何れかの表示アイテムがタッチされてドラッグ可能となったことに応じて、前記第１のグループに含まれる、タッチされた表示アイテム以外の他の表示アイテムを非表示とすることを特徴とする請求項１に記載の表示制御装置。
【請求項３】
前記表示制御手段は、前記タッチされた表示アイテムへのタッチが離されるまでは、前記タッチされた表示アイテムの表示位置をタッチ位置の移動に追従して変更するように制御することを特徴とする請求項１または２に記載の表示制御装置。
【請求項４】
前記タッチされた表示アイテムへのタッチが継続している際のタッチ操作が特定の条件を満たすとドラッグ可能となることを特徴とする請求項１乃至３のいずれか1項に記載の表示制御装置。
【請求項５】
前記特定の条件は、前記タッチされた表示アイテムへのタッチが継続したままタッチ位置が所定距離以上移動することであることを特徴とする請求項４に記載の表示制御装置。
【請求項６】
前記表示制御手段は、前記表示手段に前記第２のグループに含まれる表示アイテムを表示するとともに、前記タッチされた表示アイテムに対して実行可能な処理を表す指示アイテムを表示するように制御し、
前記制御手段は、前記第２のグループに属する表示アイテム及び前記指示アイテムが表示された状態で、前記タッチが前記指示アイテムの位置で離されたことに応じて、タッチされていた表示アイテムに対して当該指示アイテムが示す処理を実行するように制御することを特徴とする請求項1乃至５のいずれか1項に記載の表示制御装置。
【請求項７】
前記指示アイテムは、前記タッチされた表示アイテムをコピーすることを指示するための指示アイテムと、前記タッチされた表示アイテムを移動するための指示アイテムの少なくとも一方を含むことを特徴とする請求項６に記載の表示制御装置。
【請求項８】
前記表示制御手段は、前記第２のグループに属する表示アイテムを、前記非表示とした前記第1のグル―プに属する表示アイテムを表示していた領域に表示することを特徴とする請求項２に記載の表示制御装置。
【請求項９】
前記表示制御手段は、前記第２のグループに属する表示アイテムが表示された状態で、前記タッチが継続したまま、該タッチによる特定のタッチ操作が行われたことに応じて、前記第２のグループに属する表示アイテムを非表示とする一方、前記表示手段に、前記第１及び第２のグループと異なる第３のグループに属する表示アイテムを表示するように制御することを特徴とする請求項１乃至８のいずれか１項に記載の表示制御装置。
【請求項１０】
前記特定のタッチ操作は、タッチ圧力を変化させる操作であることを特徴とする請求項９に記載の表示制御装置。
【請求項１１】
前記表示制御手段は、前記タッチされた表示アイテムへのタッチの継続時間が所定時間以上となったことに応じて、前記表示手段に表示された複数の表示アイテムを消去し、前記表示手段に他のグループに属する表示アイテムを表示するように制御することを特徴とする請求項１乃至１０のいずれか１項に記載の表示制御装置。
【請求項１２】
前記表示アイテムは、電子データを表す表示アイテムであることを特徴とする請求項1乃至１１のいずれか1項に記載の表示制御装置。
【請求項１３】
前記電子データは、画像データ、音楽ファイル、文書ファイルの少なくとも1つであることを特徴とする請求項１２に記載の表示制御装置。
【請求項１４】
前記第１のグループは、第１の記録媒体に記録された電子データのグループであり、前記第２のグループは前記第１の記録媒体とは異なる第２の記録媒体に記録された電子データのグループであり、
前記制御手段は、前記移動または前記コピーによって、前記タッチされた表示アイテムが表す電子データを、グループに対応する記録媒体に移動またはコピーするように制御することを特徴とする請求項１２または１３に記載の表示制御装置。
【請求項１５】
前記第１のグループは、第１のフォルダに格納された電子データのグループであり、前記第２のグループは前記第１のフォルダとは異なる第２のフォルダに記録された電子データのグループであり、
前記制御手段は、前記移動または前記コピーによって、前記タッチされた表示アイテムが表す電子データを、グループに対応するフォルダに移動またはコピーするように制御することを特徴とする請求項１２または１３に記載の表示制御装置。
【請求項１６】
前記電子データは画像ファイルであり、前記表示アイテムは画像のサムネイルであることを特徴とする請求項１２乃至１５のいずれか１項に記載の表示制御装置。
【請求項１７】
撮像手段を更に有することを特徴とする請求項１乃至１６のいずれか1項に記載の表示制御装置。
【請求項１８】
前記表示制御装置は、携帯電話端末であることを特徴とする請求項１乃至１７のいずれか1項に記載の表示制御装置。
【請求項１９】
前記表示制御装置は、パーソナルコンピュータ、携帯型の画像ビューワ、プリンタ装置に設けられたディスプレイ、デジタルフォトフレームの少なくとも１つであることを特徴とする請求項１乃至１７のいずれか1項に記載の表示制御装置。
【請求項２０】
表示手段へのタッチ操作を検知可能なタッチ検知ステップと、
前記表示手段に、第１のグループに属する複数の表示アイテムを一覧表示し、
前記一覧表示された前記第１のグループに属する複数の表示アイテムのうち何れかの表示アイテムがタッチされてドラッグ可能となったことに応じて、前記表示手段に、前記第１のグループと異なる第２のグループに属する表示アイテムを表示するように制御する表示制御ステップと、
前記第２のグループに属する表示アイテムが表示された状態で、前記タッチが特定の位置で離されたことに応じて、前記タッチされた表示アイテムを前記第２のグループへ移動またはコピーするように制御する制御ステップと
を有することを特徴とする表示制御装置の制御方法。
【請求項２１】
コンピュータを、請求項１乃至１９のいずれか１項に記載された表示制御装置の各手段として機能させるプログラム。
【請求項２２】
コンピュータを、請求項１乃至１９のいずれか１項に記載された表示制御装置の各手段として機能させるプログラムを格納した記憶媒体。
【手続補正２】
【補正対象書類名】明細書
【補正対象項目名】発明の名称
【補正方法】変更
【補正の内容】
【発明の名称】表示制御装置及びその制御方法、プログラム並びに記憶媒体
【手続補正３】
【補正対象書類名】明細書
【補正対象項目名】０００７
【補正方法】変更
【補正の内容】
【０００７】
上記課題を解決するため、本発明の表示制御装置は、表示手段へのタッチ操作を検知可能なタッチ検知手段と、前記表示手段に、第１のグループに属する複数の表示アイテムを一覧表示し、前記一覧表示された前記第１のグループに属する複数の表示アイテムのうち何れかの表示アイテムがタッチされてドラッグ可能となったことに応じて、前記表示手段に、前記第１のグループと異なる第２のグループに属する表示アイテムを表示するように制御する表示制御手段と、前記第２のグループに属する表示アイテムが表示された状態で、前記タッチが特定の位置で離されたことに応じて、前記タッチされた表示アイテムを前記第２のグループへ移動またはコピーするように制御する制御手段とを有する。